(57)【特許請求の範囲】
【請求項１】
練習台を移動可能に支持するフレームと、練習台を移動する駆動手段とを備え、フレームの端部を上方に傾斜させて練習台の傾斜角度を調節できる構成とし、駆動手段を傾斜するフレームの端部に沿って配置したことを特徴とするゴルフ練習台傾斜装置。
【請求項２】
練習台を左右方向に移動可能に支持する中間フレームと、中間フレームを前後方向に移動可能に支持する下部フレームと、練習台と中間フレームをそれぞれ移動する駆動手段とを備え、中間フレームの左右端部を上方に傾斜させ、下部フレームの前後端部を上方に傾斜させたことを特徴とする請求項１に記載のゴルフ練習台傾斜装置。
【請求項３】
フレームの端部を覆うボックスを備えたことを特徴とする請求項１または２に記載のゴルフ練習台傾斜装置。
【発明の詳細な説明】
【０００１】
【発明の属する技術分野】
本発明は、練習者の立つゴルフ練習台を傾斜させるゴルフ練習台傾斜装置に関するものである。
【０００２】
【従来の技術】
従来、この種のゴルフ練習台傾斜装置は、例えば特開平５−２４５２４０号公報に開示されたものがある。
【０００３】
これについて説明すると、図１２に示すように、ゴルフ練習台傾斜装置９１は、練習者９４が立つ練習台９２と、練習台９２を昇降させる複数の油圧シリンダ９５等を備えている。
【０００４】
この場合、各油圧シリンダ９５を伸縮させることにより、練習台９２を任意の方向に任意の角度をもって傾斜させられる。
【０００５】
【発明が解決しようとする課題】
しかしながら、このような従来のゴルフ練習台傾斜装置にあっては、各油圧シリンダ９５が練習台９２の下方に配置されているため、練習台９３の位置が地面より高くなる。この結果、このゴルフ練習台傾斜装置９１を設置するにあたって地面に穴を掘る等の工事が必要になるという問題点が考えられる。
【０００６】
本発明は上記の問題点を鑑みてなされたものであり、練習台の設置高さを低く抑えられるゴルフ練習台傾斜装置を提供することを目的とする。
【０００７】
【課題を解決するための手段】
第１の発明は、練習台を移動可能に支持するフレームと、練習台を移動する駆動手段とを備え、フレームの端部を上方に傾斜させて練習台の傾斜角度を調節できる構成とし、駆動手段を傾斜するフレームの端部に沿って配置するものとした。
【０００８】
第２の発明は、第１の発明において、練習台を左右方向に移動可能に支持する中間フレームと、中間フレームを前後方向に移動可能に支持する下部フレームと、練習台と中間フレームをそれぞれ移動する駆動手段とを備え、中間フレームの左右端部を上方に傾斜させ、下部フレームの前後端部を上方に傾斜させるものとした。
【０００９】
第３の発明は、第１または第２の発明において、フレームの端部を覆うボックスを備えるものとした。
【００１０】
【発明の作用および効果】
第１の発明において、練習台はフレーム上で移動することにより、その端部がフレームの端部に乗り上げて傾斜する。
【００１１】
駆動手段を傾斜するフレームの端部に沿って配置することにより、駆動手段の介装スペースによって練習台の設置位置が地面より高くなることが抑えられる。この結果、従来のゴルフ練習台傾斜装置のようにこれを設置するにあたって地面に穴を掘る等の工事が不要となり、ゴルフ練習台傾斜装置を設置する工事費を削減できる。
【００１２】
第２の発明において、中間フレームに対する練習台の傾斜角度と、下部フレームに対する中間フレームの傾斜角度を相互に調節することにより、練習台を任意の方向に任意の角度をもって傾斜させることが可能となる。
【００１３】
第３の発明において、フレームの端部を覆うボックスを練習台の近傍に備えることにより、例えばボックス内にゴルフボールを供給する装置を設けることが可能となる。
【００１４】
【発明の実施の形態】
以下、本発明の実施の形態を添付図面に基づいて説明する。
【００１５】
図１に示すように、ゴルフ練習台傾斜装置１は、練習者が立つ練習台１０と、練習台１０を左右方向に移動可能に支持する中間フレーム２０と、中間フレーム２０を前後方向に移動可能に支持する下部フレーム３０と、練習台１０と中間フレーム２０をそれぞれ個別に移動する駆動手段とを備える。
【００１６】
練習台１０上は平板状に形成され、その上面にゴルフボールを載せる人工芝１１が置かれる。
【００１７】
中間フレーム２０は練習台１０を前後から挟むようにして配置される一対のアングルを備え、その左右端部２２，２３が上方に傾斜するように折り曲げられる。練習台１０は、左右方向に移動することにより、その端部が中間フレーム２０の左右端部２２，２３に乗り上げ、左右方向に傾斜するようになっている。
【００１８】
下部フレーム３０は中間フレーム２０を左右から挟むようにして配置される一対のアングルを備え、その前後端部３２，３３が上方に傾斜するように折り曲げられる。中間フレーム２０は、前後方向に移動することにより、その端部が下部フレーム３０の前後端部３２．３３に乗り上げ、前後方向に傾斜するようになっている。
【００１９】
図３〜図５に示すように、中間フレーム２０の左右端部２２，２３と下部フレーム３０の前後端部３２，３３を覆うように設置される左右のボックス４０，４１が設けられる。右のボックス４１はゴルフボールを入れられるボール溜め４２が設けられ、ゴルフボールを練習台１０上に供給する装置を内蔵している。右のボックス４１上に練習台１０の傾斜角度を調節するための操作スイッチ４３が突出して設けられる。
【００２０】
練習台１０を移動する駆動手段として、図６に示すように、練習台１０と中間フレーム２０の間に油圧シリンダ５０が設けられる。油圧シリンダ５０はそのロッド先端部が練習台１０の端部に連結され、シリンダ基端部が中間フレーム２０の上端に連結される。油圧ポンプ５１等の作動によって油圧シリンダ５０が収縮することにより、練習台１０が左右方向に引き上げられて傾斜するようになっている。
【００２１】
油圧シリンダ５０は中間フレーム２０の端部２３に沿って配置され、油圧ポンプ５１は中間フレーム２０の端部２３の下方に配置される。
【００２２】
中間フレーム２０を移動する駆動手段として、同様に中間フレーム２０と下部フレーム３０の間に図示しない油圧シリンダが設けられる。
【００２３】
以上のように構成される本発明の実施の形態につき、次に作用を説明する。
【００２４】
練習台１０は図２に実線で示すように中間フレーム２０の中央位置にある場合に、中間フレーム２０と平行になり、図２に鎖線で示すように中間フレーム２０に対して右方向に移動した場合に、傾斜して延びる左端部２３に乗り上げて練習者にとってつま先上がりの傾斜面を提供し、中間フレーム２０に対して左方向に移動した場合に、傾斜して延びる左端部２２に乗り上げて練習者にとってつま先下がりの傾斜面を提供する。
【００２５】
中間フレーム２０は下部フレーム３０の中央位置にある場合に、下部フレーム３０と平行になり、下部フレーム３０に対して前方向に移動した場合に、傾斜して延びる前端部３２に乗り上げて練習者にとって左肩上がりの傾斜面を提供し、下部フレーム３０に対して後方向に移動した場合に、傾斜して延びる後端部３３に乗り上げて練習者にとって右肩上がりの傾斜面を提供する。
【００２６】
こうして中間フレーム２０に対する練習台１０の傾斜角度と、下部フレーム３０に対する中間フレーム２０の傾斜角度を相互に調節することにより、練習台１０を任意の方向に任意の角度をもって傾斜させることが可能となる。
【００２７】
練習台１０を移動する駆動手段として、油圧シリンダ５０は中間フレーム２０の端部２３に沿って配置されることにより、油圧シリンダ５０を介装するスペースによって練習台１０の位置が地面より高くなることが抑えられる。この結果、従来のゴルフ練習台傾斜装置のようにこれを設置するにあたって地面に穴を掘る等の工事が不要となり、ゴルフ練習台傾斜装置１を設置する工事費を削減できる。
【００２８】
練習台１０を移動する駆動手段として、図７に示すように、練習台１０と中間フレーム２０の間にユニット化された油圧アクチュエータ５５を設けてもよい。油圧アクチュエータ５５は、油圧シリンダと油圧ポンプおよび油圧制御弁等がユニット化して設けられている。
【００２９】
練習台１０を移動する駆動手段として、図８に示すように、中間フレーム２０の上端に滑車６１を取付け、滑車６１に掛け回されるワイヤー６０の一端を練習台１０に連結し、ワイヤー６０の他端を油圧シリンダ６２に連結するようにしてもよい。
【００３０】
この場合、油圧シリンダ６２が収縮することにより、ワイヤー６０を介して練習台１０が引き上げられて傾斜する。
【００３１】
練習台１０を移動する駆動手段として、図９に示すように、中間フレーム２０の上端に滑車６１を取付け、滑車６１に掛け回されるワイヤー６０の一端を練習台１０に連結し、ワイヤー６０を巻取る電動ウィンチ６５を設けてもよい。
【００３２】
練習台１０を移動する駆動手段として、図１０に示すように、中間フレーム２０の端部２３に取付けられるラック７０と、ラック７０に噛合うピニオン７１と、ピニオン７１を回転駆動するモータ７２とを設け、練習台１０にモータ７２を連結してもよい。
【００３３】
この場合、モータ７２がピニオン７１を回転させることにより、ピニオン７１がラック７０に噛合って昇降する。
【００３４】
練習台１０を移動する駆動手段として、図１１に示すように、中間フレーム２０の端部２３に取付けられるラック７０と、ラック７０に噛合うピニオン７１と、ピニオン７１を歯付きベルト７５を介して回転駆動するモータ７６とを設けてもよい。モータ７６の回転軸にはプーリ７８が結合され、中間フレーム２０の上端にはプーリ７７が連結され、各プーリ７７，７８およびピニオン７１のわたってベルト７５が掛け回される。
【００３５】
この場合、モータ７２がプーリ７７を回転させることにより、ベルト７５が循環してピニオン７１が回転し、ピニオン７１がラック７０に噛合って昇降する。
【図面の簡単な説明】
【図１】本発明の実施の形態を示す練習台およびフレーム等の斜視図。
【図２】同じく練習台およびフレーム等の正面図。
【図３】同じくゴルフ練習台傾斜装置の斜視図。
【図４】同じく図３の矢印Ａ方向から見た図。
【図５】同じく図３の矢印Ｂ方向から見た図。
【図６】同じく練習台の駆動手段を示す構成図。
【図７】他の実施の形態において練習台の駆動手段を示す構成図。
【図８】さらに他の実施の形態において練習台の駆動手段を示す構成図。
【図９】さらに他の実施の形態において練習台の駆動手段を示す構成図。
【図１０】さらに他の実施の形態において練習台の駆動手段を示す構成図。
【図１１】さらに他の実施の形態において練習台の駆動手段を示す構成図。
【図１２】従来例を示すゴルフ練習台傾斜装置の正面図。
【符号の説明】
１  ゴルフ練習台傾斜装置
１０  練習台
２０  中間フレーム
２２  中間フレームの左端部
２３  中間フレームの右端部
３０  下部フレーム
３２  下部フレームの前端部
３３  下部フレームの後端部
５０  油圧シリンダ
【図１】
0003815894.tif 000002
【図２】
0003815894.tif 000003
【図３】
0003815894.tif 000004
【図４】
0003815894.tif 000005
【図５】
0003815894.tif 000006
【図６】
0003815894.tif 000007
【図７】
0003815894.tif 000008
【図８】
0003815894.tif 000009
【図９】
0003815894.tif 000010
【図１０】
0003815894.tif 000011
【図１１】
0003815894.tif 000012
【図１２】
0003815894.tif 000013